(57)【要約】    【課題】  ユーザが所望する機能に対してのみ電源を供給することができる情報処理装置、その電源制御方法及び電源制御用プログラムを提供する。    【解決手段】  表示装置又は表示機能を有する操作部を備え、複数の機能を有する情報処理装置や画像形成装置において、上記複数の機能（例えば、プリント機能、ファクシミリ機能、コピー機能及びスキャナ機能）が選択可能な形態で表示装置に表示され、表示装置により表示された画面を介して複数の機能の中から選択された少なくとも１つの機能の情報が入力され、該入力された少なくとも１つの機能の情報に基づいて当該入力された機能に関連する電源制御が実行される。【選択図】      図２５
2004166257.tif 000002
【特許請求の範囲】
【請求項１】
表示装置を備え、複数の機能を有する情報処理装置において、前記複数の機能を選択可能な形態で前記表示装置に表示させる表示制御手段と、前記表示装置により表示された画面を介して前記複数の機能の中から選択された少なくとも１つの機能の情報を入力する入力手段と、前記入力手段を介して入力された少なくとも１つの機能の情報に基づいて当該入力された機能に関連する電源制御を行う電源制御手段とを有することを特徴とする情報処理装置。
【請求項２】
さらに前記表示制御手段は前記少なくとも１つの機能に対応する電源制御の種別が前記画面に選択可能な形態で表示されるように前記表示装置を制御し、前記電源制御手段は前記入力手段を介して入力された前記少なくとも１つの機能の情報と、該機能に対応する電源制御の種別の情報とに基づく電源制御を行うことを特徴とする請求項１記載の情報処理装置。
【請求項３】
さらに、前記表示制御手段は前記情報処理装置全体の電源制御の種別を、前記画面に選択可能な形態で表示されるように前記表示装置を制御し、前記入力手段は前記情報処理装全体の電源制御の種別を入力し、前記電源制御手段は前記入力手段を介して前記少なくとも１つの機能の情報と該機能に対応する電源制御の種別の情報とが入力された場合は、前記機能の情報と前記電源制御の種別の情報とに基づく電源制御を実行し、前記情報処理装全体の電源制御の種別が入力された場合には、前記電源制御の種別に基づき前記情報処理装全体の電源制御を実行することを特徴とする請求項２記載の情報処理装置。
【請求項４】
前記表示制御手段は、前記少なくとも１つの機能の対応する電力状態の変化を前記表示装置に表示させるように制御することを特徴とする請求項１乃至３のいずれか１項に記載の情報処理装置。
【請求項５】
ネットワークを介して外部装置と通信を行う通信制御手段を有することを特徴とする請求項１乃至４のいずれか１項に記載の情報処理装置。
【請求項６】
前記情報処理装置は画像を形成する画像形成手段を備える画像処理装置であることを特徴とする請求項１乃至５のいずれか１項に記載の情報処理装置。
【請求項７】
前記複数の機能には、プリント機能、ファクシミリ機能、コピー機能及びスキャナ機能の少なくとも２つが含まれることを特徴とする請求項１乃至６のいずれか１項に記載の情報処理装置。
【請求項８】
表示装置を備え、複数の機能を有する情報処理装置の電源制御方法において、前記複数の機能を選択可能な形態で前記表示装置に表示させる表示制御ステップと、前記表示装置により表示された画面を介して前記複数の機能の中から選択された少なくとも１つの機能の情報を入力する入力ステップと、前記入力ステップを介して入力された機能の情報に基づいて当該入力された機能に関連する電源制御を行う電源制御ステップとを有することを特徴とする情報処理装置の電源制御方法。
【請求項９】
さらに前記表示制御ステップは前記少なくとも１つの機能に対応する電源制御の種別が前記画面に選択可能な形態で表示されるように前記表示装置を制御し、前記電源制御ステップは前記入力ステップを介して入力された前記少なくとも１つの機能の情報と、該機能に対応する電源制御の種別の情報とに基づく電源制御を行うことを特徴とする請求項８記載の情報処理装置の電源制御方法。
【請求項１０】
さらに、前記表示制御ステップは前記情報処理装置全体の電源制御の種別を、前記画面に選択可能な形態で表示されるように前記表示装置を制御し、前記入力ステップは前記情報処理装全体の電源制御の種別を入力し、前記電源制御ステップは前記入力ステップを介して前記少なくとも１つの機能の情報と該機能に対応する電源制御の種別の情報とが入力された場合は、前記機能の情報と前記電源制御の種別の情報とに基づく電源制御を実行し、前記情報処理装全体の電源制御の種別が入力された場合には、前記電源制御の種別に基づき前記情報処理装全体の電源制御を実行することを特徴とする請求項９記載の情報処理装置の電源制御方法。
【請求項１１】
前記表示制御ステップは、前記少なくとも１つの機能の対応する電力状態の変化を前記表示装置に表示させるように制御することを特徴とする請求項８乃至１０のいずれか１項に記載の情報処理装置の電源制御方法。
【請求項１２】
ネットワークを介して前記情報処理装置と通信を行う通信制御ステップを有することを特徴とする請求項８乃至１１のいずれか１項記載の情報処理装置の電源制御方法。
【請求項１３】
前記情報処理装置は画像を形成する画像形成手段を備える画像処理装置であることを特徴とする請求項８乃至１１のいずれか１項記載の情報処理装置の電源制御方法。
【請求項１４】
前記複数の機能には、プリント機能、ファクシミリ機能、コピー機能及びスキャナ機能の少なくとも２つが含まれることを特徴とする請求項８乃至１１のいずれか１項記載の情報処理装置の電源制御方法。
【請求項１５】
表示装置を備え、複数の機能を有する情報処理装置の電源制御方法をコンピュータに実行させる電源制御用プログラムにおいて、前記複数の機能を選択可能な形態で前記表示装置に表示させる表示制御モジュールと、前記表示装置により表示された画面を介して前記複数の機能の中から選択された少なくとも１つの機能の情報を入力する入力モジュールと、前記入力モジュールを介して入力された機能の情報に基づいて当該入力された機能に関連する電源制御を行う電源制御モジュールとを有することを特徴とする電源制御用プログラム。
【発明の詳細な説明】
【技術分野】
【０００１】
本発明は、ネットワークに接続された画像形成機能を備えた画像処理装置を制御する情報処理装置、その電源制御方法及び電源制御用プログラムに関する。
【背景技術】
【０００２】
従来、画像形成装置に係る電源制御技術で、遠隔から画像形成装置の電源の状態を監視すると共に電源のＯＮ/ＯＦＦを遠隔制御する仕組みが知られている。
【０００３】
更に、画像形成装置の局所的な部分のみを指示して電源のＯＮ／ＯＦＦの制御を行う仕組みが知られている（例えば、特許文献１参照）。
【０００４】
一方、画像の入出力を行う画像処理装置として、いわゆるマルチファンクションデジタル複写機が知られている。このマルチファンクションデジタル複写機は、紙などに記録されている原稿画像を読み取るスキャナ、読み取った画像、あるいはホストコンピュータから送られてくる画像を紙などのメディアに出力するプリンタ、これらスキャナおよびプリンタの動作を制御したり、あるいは種々の画像処理を行うデバイスコントローラ、機器の操作を使用者に提供する操作部、画像データや処理プログラムを一時的あるいは恒久的に記憶するメモリおよびハードディスク等から構成される。
【０００５】
上記構成を有するマルチファンクションデジタル複写機では、単に原稿画像を複写するだけでなく、スキャナで読み込んだ画像データをＬＡＮ（ネットワーク）経由でホストコンピュータに転送したり、逆にホストコンピュータ上でワープロなどで作成した文書をプリンタでプリント出力させることも可能である。また、原稿画像を遠隔地のファクシミリ装置に送信するファクシミリ送信機能をなど様々な機能を備えていることが知られている。
【特許文献１】特開平６−１８３１０２号公報
【発明の開示】
【発明が解決しようとする課題】
【０００６】
しかしながら、従来の技術によれば、画像形成装置に対して遠隔から電源のＯＮ／ＯＦＦコマンドを指示することはできたが、画像形成装置全体の電源のＯＮ／ＯＦＦを指示するものであり、必ずしもユーザの要望にそった電源制御を行えるものではなかった。
【０００７】
例えば、マルチファンクションデジタル複写機において、プリント機能のみを利用したい場合に電源ＯＮの指示を行ったとしても、ファクシミリに係る電力も供給されてしまうという問題があった。
【０００８】
また、プリントに係る電源をＯＦＦしたいような場合にもファクシミリ機能に係る電源もＯＦＦしてしまうことになり、ファクシミリを利用したいような場合には再度電源をＯＮする必要があった。
【０００９】
更に、マルチファンクションデジタル複写機などにおいては、機能が複雑化している為、ユーザが所望する電源ＯＮ／ＯＦＦを行う為に、どの部分の電源制御を行うかの指定が必要になり、煩雑な作業を伴うことになるという問題点があった。
【００１０】
本発明は、かかる問題点を鑑みてなされたものであり、ユーザが所望する機能に対してのみ電源を供給することができる情報処理装置、その電源制御方法及び電源制御用プログラムを提供することを目的とする。
【課題を解決するための手段】
【００１１】
上記目的を達成するため、請求項１の情報処理装置は、表示装置を備え、複数の機能を有する情報処理装置において、前記複数の機能を選択可能な形態で前記表示装置に表示させる表示制御手段と、前記表示装置により表示された画面を介して前記複数の機能の中から選択された少なくとも１つの機能の情報を入力する入力手段と、前記入力手段を介して入力された少なくとも１つの機能の情報に基づいて当該入力された機能に関連する電源制御を行う電源制御手段とを有することを特徴とする。
【００１２】
請求項２の情報処理装置は、請求項１記載の情報処理装置において、さらに前記表示制御手段は前記少なくとも１つの機能に対応する電源制御の種別が前記画面に選択可能な形態で表示されるように前記表示装置を制御し、前記電源制御手段は前記入力手段を介して入力された前記少なくとも１つの機能の情報と、該機能に対応する電源制御の種別の情報とに基づく電源制御を行うことを特徴とする。
【００１３】
請求項３の情報処理装置は、請求項２記載の情報処理装置において、さらに、前記表示制御手段は前記情報処理装置全体の電源制御の種別を、前記画面に選択可能な形態で表示されるように前記表示装置を制御し、前記入力手段は前記情報処理装全体の電源制御の種別を入力し、前記電源制御手段は前記入力手段を介して前記少なくとも１つの機能の情報と該機能に対応する電源制御の種別の情報とが入力された場合は、前記機能の情報と前記電源制御の種別の情報とに基づく電源制御を実行し、前記情報処理装全体の電源制御の種別が入力された場合には、前記電源制御の種別に基づき前記情報処理装全体の電源制御を実行することを特徴とする。
【００１４】
請求項４の情報処理装置は、請求項１乃至３のいずれか１項に記載の情報処理装置において、前記表示制御手段は、前記少なくとも１つの機能の対応する電力状態の変化を前記表示装置に表示させるように制御することを特徴とする。
【００１５】
請求項５の情報処理装置は、請求項１乃至４のいずれか１項に記載の情報処理装置において、ネットワークを介して外部装置と通信を行う通信制御手段を有することを特徴とする。
【００１６】
請求項６の情報処理装置は、請求項１乃至５のいずれか１項に記載の情報処理装置において、前記情報処理装置は画像を形成する画像形成手段を備える画像処理装置であることを特徴とする。
【００１７】
請求項７の情報処理装置は、請求項１乃至６のいずれか１項に記載の情報処理装置において、前記複数の機能には、プリント機能、ファクシミリ機能、コピー機能及びスキャナ機能の少なくとも２つが含まれることを特徴とする。
【００１８】
請求項８の情報処理装置の電源制御方法は、表示装置を備え、複数の機能を有する情報処理装置の電源制御方法において、前記複数の機能を選択可能な形態で前記表示装置に表示させる表示制御ステップと、前記表示装置により表示された画面を介して前記複数の機能の中から選択された少なくとも１つの機能の情報を入力する入力ステップと、前記入力ステップを介して入力された機能の情報に基づいて当該入力された機能に関連する電源制御を行う電源制御ステップとを有することを特徴とする。
【００１９】
請求項９の情報処理装置の電源制御方法は、請求項８記載の情報処理装置の電源制御方法において、さらに前記表示制御ステップは前記少なくとも１つの機能に対応する電源制御の種別が前記画面に選択可能な形態で表示されるように前記表示装置を制御し、前記電源制御ステップは前記入力ステップを介して入力された前記少なくとも１つの機能の情報と、該機能に対応する電源制御の種別の情報とに基づく電源制御を行うことを特徴とする。
【００２０】
請求項１０の情報処理装置の電源制御方法は、請求項９記載の情報処理装置の電源制御方法において、さらに、前記表示制御ステップは前記情報処理装置全体の電源制御の種別を、前記画面に選択可能な形態で表示されるように前記表示装置を制御し、前記入力ステップは前記情報処理装全体の電源制御の種別を入力し、前記電源制御ステップは前記入力ステップを介して前記少なくとも１つの機能の情報と該機能に対応する電源制御の種別の情報とが入力された場合は、前記機能の情報と前記電源制御の種別の情報とに基づく電源制御を実行し、前記情報処理装全体の電源制御の種別が入力された場合には、前記電源制御の種別に基づき前記情報処理装全体の電源制御を実行することを特徴とする。
【００２１】
請求項１１の情報処理装置の電源制御方法は、請求項８乃至１０のいずれか１項に記載の情報処理装置の電源制御方法において、前記表示制御ステップは、前記少なくとも１つの機能の対応する電力状態の変化を前記表示装置に表示させるように制御することを特徴とする。
【００２２】
請求項１２の情報処理装置の電源制御方法は、請求項８乃至１１のいずれか１項記載の情報処理装置の電源制御方法において、ネットワークを介して前記情報処理装置と通信を行う通信制御ステップを有することを特徴とする。
【００２３】
請求項１３の情報処理装置の電源制御方法は、請求項８乃至１１のいずれか１項記載の情報処理装置の電源制御方法において、前記情報処理装置は画像を形成する画像形成手段を備える画像処理装置であることを特徴とする。
【００２４】
請求項１４の情報処理装置の電源制御方法は、請求項８乃至１１のいずれか１項記載の情報処理装置の電源制御方法において、前記複数の機能には、プリント機能、ファクシミリ機能、コピー機能及びスキャナ機能の少なくとも２つが含まれることを特徴とする。
【００２５】
請求項１５の電源制御用プログラムは、表示装置を備え、複数の機能を有する情報処理装置の電源制御方法をコンピュータに実行させる電源制御用プログラムにおいて、前記複数の機能を選択可能な形態で前記表示装置に表示させる表示制御モジュールと、前記表示装置により表示された画面を介して前記複数の機能の中から選択された少なくとも１つの機能の情報を入力する入力モジュールと、前記入力モジュールを介して入力された機能の情報に基づいて当該入力された機能に関連する電源制御を行う電源制御モジュールとを有することを特徴とする。
【発明の効果】
【００２６】
請求項１，８，１５に係る発明によれば、ユーザは迷うことなく所望の機能に必要な電源制御のみを行うことができ、わざわざ所望とする機能に対応するデバイスをユーザ自ら判断し、そのデバイスの電源をＯＮ／ＯＦＦ／スリープ状態に移行させるような煩雑な作業を省略することができる。
【００２７】
請求項５，１２に係る発明によれば、ネットワーク経由、特に、Ｗｅｂ上で機能毎に電源制御を行い、その状況を表示することができる。
【発明を実施するための最良の形態】
【００２８】
以下、本発明の実施の形態を、図面を参照しつつ説明する。
【００２９】
図１は本発明の第１の実施の形態に係る情報処理装置を組み込んだ遠隔制御システムの構成を示す図である。図において、１０１はインターネット等の通信網である。１０２はハードウェアやソフトウェアのサポートセンタである。１０３はハードウェアやソフトウェアの販売会社である。１０４はウェブサーバであり、インターネットに接続され、インターネットユーザに特定のサービスを提供する。１０５は金融機関１０６と消費者であるクライアント（端末）との間の決済処理等を行う電子マネーサーバである。１０７は個人ユーザの端末とインターネット１０１との接続処理を行うサービスプロバイダである。
【００３０】
尚、端末装置としてのクライアントは、パソコン１１２であり、一般的な情報処理装置が備える、ＣＰＵ（中央演算処理装置）、ＲＡＭ、ハードディスク等の不揮発性記憶部、ディスプレイ/キーボード/マウス等の各種周辺機器との情報の入出力を行う入出力部、モデム等の通信部等を備えるものとし、この各構成に従い後述する各フローチャート並びに画面表示の表示制御を行うものとする。
【００３１】
１０８はファイアウォールであり、外部通信網であるインターネット１０１とＬＡＮ１２１とを接続し、セキュリティ管理などを行う。１０９はＬＡＮ（ネットワーク）１２１に接続されたファイルサーバ１１０、メールサーバ１１１、パソコン（ＰＣ）１１２、プリンタ１１３等の各機器の管理、ユーザ管理、課金情報等のデータ管理などを行う機器管理サーバである。１１０はデータ管理などを行うファイルサーバであり、必要に応じてマルチファンクションデジタル複写機２００やプリンタ１１３にデータを出力する。
【００３２】
図２は情報処理装置であるところのマルチファンクションデジタル複写機２００の構成を示すブロック図である。このマルチファンクションデジタル複写機（単に、ＭＦＰという）２００は、紙などに記録されている原稿画像を読み取るスキャナ２０２、読み取った画像、あるいはＬＡＮ１２１を介して送られてくる画像を紙などのメディアに出力するプリンタ２０３、外部の端末に画像を送信するファックス２０９、これらスキャナ２０２、プリンタ２０３及びファックス２０９の動作を制御したり、あるいは種々の画像処理を行うデバイスコントローラ２０４、機器の操作指示を入力するための操作部２０１、画像データや処理プログラムを一時的あるいは恒久的に記憶するメモリ２０５およびハードディスク２０６等から構成される。デバイスコントローラ２０４は、メモリ２０５やハードディスク２０６に格納されたプログラムを実行するＣＰＵ２０７と、デバイスコントローラ２０４に接続される各デバイス２０１〜２０６，２０９及びＬＡＮ１２１とＣＰＵ２０７との通信を制御する通信制御部２０８とを備えている。また、ＭＦＰ２００は各デバイス２０１〜２０９に電源を供給する電源部２１０を備えており、電源部２１０はデバイスコントローラ２０４に接続されている。ＭＦＰ２００は、インターネットが普及した現在、特定のネットワーク（ＬＡＮ）内に留まらず、ファイアウォール１０８を介して広く世界中のネットワークと繋がっている。つまり、ＭＦＰ２００は特定のネットワーク内に留まらず、世界中のネットワークに接続された端末等から管理・制御することが可能である。ＭＦＰ２００では、コピー機能はスキャナ２０２及びプリンタ２０３を組み合わせることで実現される。
【００３３】
図３はＭＦＰ２００の構造を示す断面図である。このＭＦＰ２００は、リーダ部２２０およびプリンタ部２３０から構成される。リーダ部２２０の原稿給送装置３０１は、原稿を最終頁から順に１枚ずつプラテンガラス３０２上に給送し、原稿の読み取り動作終了後、プラテンガラス３０２上の原稿を排出する。原稿がプラテンガラス３０２上に搬送されると、ランプ３０３を点灯し、スキャナユニット３０４の移動を開始させて原稿を露光走査する。
【００３４】
このとき、原稿からの反射光は、ミラー３０５、３０６、３０７およびレンズ３０８によってＣＣＤイメージセンサ（以下、ＣＣＤという）３０９に導かれる。このように走査された原稿の画像は、ＣＣＤ３０９によって読み取られる。ＣＣＤ３０９から出力される画像データは、所定の処理が施された後、プリンタ部２３０に転送される。
【００３５】
プリンタ部２３０のレーザドライバ３１０は、レーザ発光部３１１を駆動するものであり、リーダ部２２０から出力された画像データに応じた光をレーザ発光部３１１に発光させる。このレーザ光は感光ドラム３１２に照射され、感光ドラム３１２にはレーザ光に応じた潜像が形成される。この感光ドラム３１２の潜像部分には、現像器３１３によって現像剤が付着する。そして、レーザ光の照射開始と同期したタイミングで、カセット３１４、３１５のいずれかから記録紙を給紙して転写部３１６に搬送し、感光ドラム３１２に付着した現像剤を記録紙に転写する。
【００３６】
現像剤が付着した記録紙は定着部３１７に搬送され、定着部３１７の熱と圧力により現像剤は記録紙に定着する。定着部３１７を通過した記録紙は、排出ローラ３１８によって排出され、ソータ３２１は、仕分けが設定されていない場合、最上ピン３２２に記録紙を収納する。また、両面記録が設定されている場合、排出ローラ３１８の所まで記録紙を搬送した後、排出ローラ３１８の回転方向を逆転させ、フラッパ３１９によって再給紙搬送路３２０に導く。多重記録が設定されている場合、記録紙を排出ローラ３１８まで搬送しないように、フラッパ３１９によって再給紙搬送路３２０に導く。再給紙搬送路に導かれた記録紙は、上記タイミングで転写部３１６に給紙される。
【００３７】
上記構成を有するＭＦＰ２００では、ユーザは操作部２０１から操作し、スキャナ２０２は操作部２０１やパソコン１１２からの指示に従って、画像を入力する。プリンタ１１３はパソコン１１２やファイルサーバ１１０からのデータを印刷する。
【００３８】
デバイスコントローラ２０４は、操作部２０１やパソコン１１２からの指示に従って、スキャナ２０２、プリンタ２０３、メモリ２０５、ハードディスク２０６、あるいはパソコン１１２との間で画像データの入出力制御を行う。例えば、スキャナ２０２から取り込んだ画像データをメモリ２０５やハードディスク２０６に必要に応じて蓄積したり、パソコン１１２に出力したり、あるいはプリンタ２０３で印刷する等の制御を行う。
【００３９】
プリンタ１１３は、パソコン１１２やファイルサーバ１１０からの画像データを記録紙に印刷する。パソコン１１２は端末装置としてＬＡＮ１２１に接続され、インターネット１０１を介してウェブサーバ１０４から提供された情報を閲覧したり、画像データをＭＦＰ２００やプリンタ１１３に出力する。尚、パソコン１１２はファイアウォール１０８を介してインターネット１０１に接続されているが、サービスプロバイダ１０７を介してインターネット１０１に接続されるようにしてもよい。
【００４０】
このような環境の下、ネットワークを介してＭＦＰ２００を遠隔制御する場合、その遠隔制御方法として、専用線や電話回線を用いる方法が挙げられるが、本実施の形態では、インターネットを用いる場合を説明する。前述したように、ＭＦＰ２００は、ＬＡＮ１２１上に存在しており、ＩＰ（Ｉｎｔｅｒｎｅｔ  Ｐｒｏｔｏｃｏｌ）アドレスを有する。ＭＦＰ２００をＷｅｂサーバと見立て、ＭＦＰ２００がスクリプト言語などを実行することで、機器管理サーバ１０９やパソコン１１２はＷｅｂ閲覧ツールを用いてＭＦＰ２００にアクセスすることが可能である。ここで、スクリプト言語としては、Ｓｕｎ  Ｍｉｃｒｏｓｙｓｔｅｍｓ社のＪａｖａ（登録商標）Ｓｃｒｉｐｔ（登録商標）が挙げられる。また、Ｗｅｂ閲覧ツールとして、Ｍｉｃｒｏｓｏｆｔ社のＩｎｔｅｒｎｅｔ  Ｅｘｐｌｏｒｅｒ（登録商標）やＮｅｔｓｃａｐｅ社のＮｅｔｓｃａｐｅ  Ｎａｖｉｇａｔｏｒなどが挙げられる。
【００４１】
このようなＷｅｂ閲覧ツールを用いることで、プラットフォームに依存せず、ＭＦＰ２００の遠隔制御が可能となる。例えば、Ｍｉｃｒｏｓｏｆｔ社のＷｉｎｄｏｗｓ（登録商標）、Ａｐｐｌｅ社のＭａｃＯＳ（登録商標）、Ｕｎｉｘ（登録商標）などいずれのＯＳで作動する端末からＭＦＰ２００の操作が可能である。すなわち、プラットフォームに依存させないことにより、特定の機器管理サーバ１０９からだけでなく、ＬＡＮ１２１上の全てのコンピュータ（端末）から、後述する閲覧画面上でＭＦＰ２００の設定・解除等の制御を行うことが可能である。
【００４２】
尚、以下の説明では電子写真方式に従うＭＦＰを例にしていくが、これに限定されるものではなく、本発明に係る情報処理装置は、例えば、インクジェット方式の画像形成部を備えたＭＦＰや、複数の所定の機能を備える電子写真プリンタ、或は、ファクシミリ装置、或は、複写装置などにも適用できることはいうまでもない。
さらには、本発明に係る情報処理装置は、ネットワーク上に通信可能に接続されるプリンタ機能、ファクシミリ機能、コピー機能の何れかを備えたシングルファンクション機に適用するようにしてもよい。この場合は後述する各機能に対応するＭＦＰを構成するデバイスが、各機能を備えた装置に対応することとなる。
【００４３】
図４はＷｅｂサーバとしてのＭＦＰ２００における電源制御処理手順を示すフローチャートである。この処理を実行するためのプログラムはＭＦＰ２００内のハードディスク２０６に格納されており、デバイスコントローラ２０４内のＣＰＵ２０７によって読み出されて通信制御部２０８を介して実行される。尚、デバイスコントローラ２０４に含まれる通信制御部２０８はＨｙｐｅｒＴｅｘｔ  Ｔｒａｎｓｆｅｒ  Ｐｒｏｔｏｃｏｌに従うＨＴＭＬやＸＭＬなどのマークアップ言語などの送受信を行う機能を備える。尚、以下の説明ではＨＴＭＬを例に説明するが、それに限定されるものではなく、ＸＭＬ等様々なマークアップ言語に適用することができることは言うまでもない。
【００４４】
まず、ＬＡＮ１２１に接続されたＰＣ１１２などの端末から、ウインドウ画面の閲覧要求があるのを待ち（ステップＳ１）、閲覧要求があると、ＭＦＰ２００の各デバイス（図２の各ブロック）の電源状態の検知が行われると共に、検知された電源状態に基づくＨＴＭＬに従ったウインドウ画面ファイルの情報を生成すると共に、閲覧要求した端末にウインドウ画面ファイルを送信する（ステップＳ２）。尚、ステップＳ２における電源状態の検知は、端末から閲覧要求がある都度に検知されてもよいし、所定のタイミングにて予め検知された電源状態を示す情報をメモリ２０５又はハードディスク２０６に記憶しておき、端末から閲覧要求があったときに、ＣＰＵ２０７が該記憶された電源状態を示す情報を読み出すようにしてもよい。また、ここでいう電源状態の検知は、不図示の所定のセンサから検出される値に基づいて、電源状態を検知するものであってもよいし、ＣＰＵ２０７による上記各デバイスへの電力制御指示に伴い、ＣＰＵ２０７自身がメモリ２０５又はハードディスク２０６に記憶した該電力制御指示の履歴を調べることで、電源状態を検知するものであってもよい。
【００４５】
そして、端末（クライアント）からウインドウ画面上の変更要求（例えば、図１６の電源ＯＮの要求）があるか否かを判別する（ステップＳ３）。変更要求がない場合、ステップＳ１の処理に戻る。尚、本実施の形態におけるウインドウ画面とは、ＭＦＰ２００の電源制御指示を少なくとも含む各種設定を行える設定画面を意味する。
【００４６】
一方、変更要求がある場合、変更要求に応じた処理を実行する（ステップＳ４）。例えば、図１６に示すように、ＭＦＰ２００の各デバイスを起動するとともに、起動中であることを示すステータス表示部７０４を表示する。そして、ウインドウ画面ファイルを変更し、変更後のウインドウ画面ファイルを端末に送信する（ステップＳ５）。この後、ステップＳ１の処理に戻る。
【００４７】
以下ネットワーク経由で電源のＯＦＦ／ＯＮを制御する場合を説明する。図５は電源制御用のウィンドウ画面を示す図である。この画面上からＬＡＮ１２１に接続されているＭＦＰ２００を制御することが可能である。図５乃至２４の各ウィンドウ画面はＨＴＭＬ（ＨｙｐｅｒＴｅｘｔ  Ｍａｒｋｕｐ  Ｌａｎｇｕａｇｅ）などで記述されている。
【００４８】
また、図５乃至２４の各画面を端末の表示部にてブラウザを介して表示させる為のＨＴＭＬの情報は、ＭＦＰ２００のメモリ２０５やハードディスク２０６に記憶された情報であるか或いは、ＭＦＰ２００で端末から要求の都度生成されたものであり、要求を出した端末ではＭＦＰ２００から受信したＨＴＭＬの情報に従って図５乃至２４のような表示画面を表示させる。
【００４９】
図５のウィンドウ画面には、制御するデバイス名４０１、設置場所４０２などが示されている。また、各種ボタン４０３〜４０７が設けられており、機能設定やジョブ管理を行うことが可能である。デバイスボタン４０３は、デバイスの稼動状況を見たり、デバイスを制御するために使用される。ジョブボタン４０４は、プリントジョブ、コピージョブ、ファックスジョブなどの履歴を見るために使用される。ボックスボタン４０５は、ＭＦＰ内のハードディスク２０６に格納されたユーザのデータを見たり、管理するために使用される。ユーザは、必要に応じて、このデータをプリントあるいはファックスしたり、他のＭＦＰやコンピュータなどに送信することができる。アドレスボタン４０６は、スキャンした画像を送信したり、ファックスする場合の宛て先等を設定・登録するために使用される。仕様設定ボタン４０７は、ＭＦＰの基本設定、ネットワーク設定、又は送信・受信設定などを行うために使用される。
【００５０】
メインのウィンドウ画面には、通常、最終更新時間４０８およびデバイスの稼動状況４０９が示される。通常の稼動時、プリンタ、スキャナ、ファクス、及びコピーの稼動状況は、図５のように示される。このように、ＭＦＰ２００の稼動状況は、遠隔地でも、Ｗｅｂ上から確認することが可能である。
【００５１】
図６は電源がＯＦＦ状態のＭＦＰ２００のウインドウ画面を示す図である。電源ＯＦＦ状態のＭＦＰ２００のデバイス状況は、Ｗｅｂ上から見ることが可能である。図６では、ファクシミリ機能（ファックス２０９）は受信のためにスリープ状態であって常に受信可能状態であるが、それ以外のデバイスは電源ＯＦＦの状態である。このような状況のＭＦＰ２００の電源をＷｅｂ上の端末からの指示により投入して使用可能な状態にする。
【００５２】
図７はデバイスボタン４０３が選択された場合のウインドウ画面を示す図である。デバイスボタン４０３を選択すると、ボタン表示は反転し、各種デバイス設定が表示される。具体的に、電源ＯＦＦボタン６０２、電源ＯＮボタン６０３、スリープボタン６０４、スリープ解除ボタン６０５、タイマ設定ボタン６０６が表示される。本実施の形態では、電源のＯＦＦ／ＯＮとスリープ設定／解除のタイマ設定を示すが、これに限るものではない。電源ＯＦＦ状態にあるＭＦＰ２００を起動させる場合、電源ＯＮボタン６０３を選択すればよい。
【００５３】
図８は電源ＯＮボタン６０３が選択された場合のウインドウ画面を示す図である。選択された電源ＯＮボタン６０３は、文字部が太文字表示されたり、色文字表示されることで、選択されたことを明示し、ＭＦＰ２００に起動の指示を出し、起動状況を表示する。このとき、ステイタス表示部７０４に起動までに要する時間が表示され、カウントダウンされる時間が表示される。例えばＭＦＰ２００の設置環境に応じて変動する起動時間を補正するために、必要に応じて、所定の時間間隔で起動時間が更新され、補正された起動時間が表示される。図９は各デバイスが完全に起動した場合のウインドウ画面を示す図である。各デバイスが完全に起動すると、各デバイスの起動状況が表示される。同図において、８０１は各デバイスの起動状況を示し、ステイタス表示部８０２には「起動しました」の文字が表示される。
【００５４】
つぎに、スリープ状態にあるＭＦＰ２００を起動する場合を説明する。スリープ状態のＭＦＰ２００のデバイス状況も、Ｗｅｂ上で見ることが可能である。図１０は各デバイスがスリープ状態である場合のウインドウ画面を示す図である。Ｗｅｂ上の端末からの指示により各デバイスのスリープ状態を解除し、使用できる状態にする。
【００５５】
図１１はデバイスボタン４０３が選択された場合のウインドウ画面を示す図である。デバイスボタン４０３を選択すると、ボタン表示は反転し、各種デバイス設定が表示される。スリープ状態にあるＭＦＰ２００を起動させる場合、スリープ解除ボタン６０５を選択すればよい。
【００５６】
図１２はスリープ解除ボタン６０５が選択された場合のウインドウ画面を示す図である。選択されたスリープ解除ボタン６０５は、文字部が太文字表示されたり、色文字表示にされて選択されたことを明示し、ＭＦＰ２００にスリープ解除の指示を出し、起動状況を表示する。このとき、ステイタス表示部１１０４に起動までに要する時間が表示され、カウントダウンされる時間が表示される。必要に応じて、例えばＭＦＰ２００の設置環境に応じて、変動する起動時間を補正するために、所定の時間間隔で起動時間が更新され、補正された起動時間が表示される。完全に起動すると、図９と同様のウインドウ画面が表示されて、各デバイスの起動状況が表示される。
【００５７】
このように、本実施の形態によれば、ネットワーク経由、特に、Ｗｅｂ上で電源のＯＦＦ／ＯＮ制御やスリープ制御を行い、その状況を表示することで、ユーザは遠隔地にいてもＭＦＰ２００を制御できる。その結果、不要な時間、極力電源ＯＦＦやスリープ状態にしておくことができ、省エネに貢献できる。また、Ｗｅｂ上で時間表示することで、ＭＦＰ２００の起動状況に合わせてコピーなどの作業が行えるので、ＭＦＰ２００の前で起動するまで待つといったユーザにとっての時間の無駄を省くことができる。特に、ＭＦＰ２００が広いオフィスに設置され、設置場所がユーザから離れている場合や、別のフロアにある場合などに有効である。
【００５８】
尚、上記実施の形態では、デジタル処理を行うＭＦＰの場合を示したが、アナログ処理を行うＭＦＰであっても、ネットワークインターフェースを備えたデバイスコントローラを搭載している限り、上述した処理は同様に適用可能である。
【００５９】
以下、本発明の第２の実施の形態を上述した図１０乃至１２と共に図１３〜１７を参照しつつ説明する。
【００６０】
第２の実施の形態では、電源のＯＦＦ／ＯＮ制御やスリープ設定・解除のタイマ設定、およびその時間表示を行うことが可能な遠隔制御システムに適用される。遠隔制御システムの構成は前記第１の実施の形態と同じであるので、その説明を省略する。また、前記第１の実施の形態と同一の構成要素は同一の符号を付すことによりその説明を省略する。
【００６１】
スリープ状態にあるＭＦＰ２００の場合、その稼動状況は、図１０に示したように、Ｗｅｂ上から見ることが可能である。このＭＦＰ２００のスリープ解除を行う場合、その時間をタイマ設定することができる。
【００６２】
デバイスボタン４０３を押すと、デバイスボタン４０３は反転し、サブメニューが表示される（図１１参照）。その中のタイマ設定ボタン６０６を選択すると、時間設定を行うことが可能である。図１３はタイマ設定ボタン６０６が選択された場合のウインドウ画面を示す図である。ラジオボタン１５０３を選択すると、何時何分に起動させるという起動が可能である。この場合、時間設定部１５０４で「時間」を設定し、分設定部１５０５で「分」を設定する。そして、実行ボタン１５０９を選択して押下すると、時間設定部１５０４で設定された「時間」のデータ及び分設定部１５０５で設定された「分」のデータがＭＦＰ２００に送信される。
【００６３】
ラジオボタン１５０６を選択すると、何分後に起動させるという方法での起動が可能である。この場合、時間設定部１５０７で「時間」を設定し、分設定部１５０８で「分」を設定する。実行ボタン１５０９を選択して押下すると、時間設定部１５０７で設定された「時間」のデータ及び分設定部１５０８で設定された「分」のデータがＭＦＰ２００に送信される。キャンセルボタン１５１０を選択して押下すると、タイマー設定した内容をキャンセルする。
【００６４】
具体的に、１０分後にＭＦＰ２００を起動させる場合を説明する。図１４は分設定部１５０８で時間設定を行う場合のウインドウ画面を示す図である。分設定部１５０８のボタン「▼」を選択すると、予め設定された時間がメニュー表示される。その中に所望する時間がある場合、それを選択する。一方、所望する時間がない場合、キーボードから分設定部１５０８に所望の時間を入力する。ここでは、メニューの中に所望する時間があるので、「１０分」のメニューを選択する。選択が行われると、メニューの文字は反転し、ラジオボタン１５０６は自動的に選択される。図１５はメニューの中の所望時間が選択された場合のウインドウ画面を示す図である。
【００６５】
そして、実行ボタン１５０９を押すと、タイマ設定した１０分後に起動するべく、ＭＦＰ２００に起動の指示を出し、起動状況を表示する。図１６は図１５の実行ボタン１５０９が押された場合のウインドウ画面を示す図である。このときの起動時間のカウントは、ユーザの端末（パソコン）で行ってもよいし、ＭＦＰ２００で行ってもよい。カウントが開始されると、ステイタス表示部１８０４に起動するまでに要する時間が表示され、カウントダウンが表示される。必要に応じて、ＭＦＰの設置環境に応じて変動する起動時間を補正するために、所定の時間間隔で起動時間が更新され、補正された起動時間が表示される。各デバイスが完全に起動すると、各デバイスの起動状況が表示される。図１７は各デバイスが完全に起動した場合のウインドウ画面を示す図である。同図において、１９０１は各デバイスの起動状況を示し、ステイタス表示部１９０２には「起動しました」の文字が表示される。
【００６６】
起動時間設定を行う場合、ＭＦＰ２００本体がスリープするために最低限必要な時間より長い時間を設定することはできない。ユーザが強制的にその最低限必要な時間よりも長い時間を設定した場合、ユーザが設定した値からカウントダウンしながら、さらにステイタス表示部１９０２にその最低限必要な時間を再設定して表示する。
【００６７】
このように、本実施の形態によれば、ネットワーク経由、特に、Ｗｅｂ上で電源のＯＦＦ／ＯＮ制御やスリープ制御を行い、その状況を表示することで、ユーザは遠隔地にいてもＭＦＰ２００を制御できる。その結果、不要な時間、極力電源ＯＦＦやスリープ状態にしておくことができ、省エネに貢献できる。また、起動時間のタイマ設定により、所望する時間に起動させ、かつ起動状況を表示させることで、ＭＦＰ２００の前で起動するまで待つといったユーザの時間の無駄を省くことができる。特に、ＭＦＰ２００が広いオフィスに設置され、設置場所がユーザから離れている場合や、別のフロアにある場合などに有効である。
【００６８】
尚、上記実施の形態では、１０分後を指定する場合を示したが、何時何分に始動させるという設定も同様の手法で可能である。また、スリープ中のＭＦＰ２００の各デバイスを起動させる場合を示したが、電源ＯＦＦ中のＭＦＰ２００の各デバイスを起動させる場合も同様である。さらに、デジタル処理を行うＭＦＰの場合を示したが、アナログ処理を行うＭＦＰについても、ネットワークインターフェースを備えるデバイスコントローラを搭載している限り、上述した処理は同様に適用可能である。
【００６９】
また、上記実施の形態では、電源ＯＦＦ状態やスリープ状態から起動させるためのタイマ設定を示したが、シャットダウンから電源ＯＮにするためのタイマ設定も可能である。
【００７０】
以下、本発明の第３の実施の形態を図１８〜２５を参照しつつ説明する。
【００７１】
第３の実施の形態では、電源のＯＦＦ／ＯＮ制御やスリープ設定・解除を行うことが可能な遠隔制御システムに適用される。遠隔制御システムの構成は前記第１の実施の形態と同じであるので、その説明を省略する。また、前記第１の実施の形態と同一の構成要素は同一の符号を付すことによりその説明を省略する。
【００７２】
図１８は、表示モードを変更する場合のウインドウ画面を示す図である。
【００７３】
図１８に示す仕様設定ボタン４０７を選択すると、基本設定、ネットワーク設定などのメニューが表示される。そのメニューから、表示設定１８０１を選択すると、デバイス別表示ボタン１８０２と機能別表示ボタン１８０３が表示される。図１８ではデバイス別表示が選択されている。ここではデバイス別表示ボタン１８０２が太字で表しているが、色文字表示や反転表示でも構わない。
【００７４】
そして、機能別表示ボタン１８０３を選択するとボタンが太字になり、図１９に示すように機能別表示が可能となる。このとき、図１８のデバイスボタン４０３は、機能ボタン１９０１に変更され、ウィンドウ画面の文字表示もデバイス表示から機能表示へと変更される。本実施の形態では、上述した第１及び第２の実施の形態と同様にデバイスに対する電源ＯＮ／ＯＦＦ、スリープ移行等の電源制御を、デバイスに対する直接的な指示により行うのみでなく、以下に述べるように図１９の設定画面により機能を指定することにより間接的にデバイスに指示するモードへ変更し、機能別の電源制御を行うことが可能である。
【００７５】
図２０は、機能別の電源制御を行うためのウインドウ画面を示す図である。
【００７６】
機能ボタン１９０１を選択すると、プリント機能ボタン２００１、スキャン機能ボタン２００２、ファックス機能ボタン２００３、コピー機能ボタン２００４及び電源制御の種別２００５が表示される。各機能のそのときのステイタスは、ウィンドウ画面内に表示される。このステータスには電源状態のみではなく、エラー情報や、用紙/トナー等の消耗品残量情報を含めるようにしてもよく、そのような場合にはＭＦＰ２００からＬＡＮ１２１を介して各種ステータスの情報が端末に通知されることとなる。電源制御の種別２００５には、電源ＯＦＦ、電源ＯＮ、スリープ、スリープ解除、及びタイマー設定の制御設定項目が含まれている。
【００７７】
図２５は、ＷｅｂサーバとしてのＭＦＰ２００における電源制御処理手順を示すフローチャートである。尚、図２５のフローチャートの各ステップの処理はＣＰＵ２０７がメモリ２０５又はハードディスク２０６に記憶されたプログラムを読み込み実行することにより実現されるものとする。
【００７８】
まず、ユーザがプリントの機能を利用することを所望するとき、端末のウインドウ画面に『プリントできません』と表示されていれば、ユーザは、電源制御の種別２００５からの電源ＯＮを選択し、且つ、プリント機能ボタン２００１を選択すればよい。図２０のプリント機能ボタン２００１の選択指示が端末に入力されると端末（図１のパソコン１１２）より、ＭＦＰ２００に対して入力された指示を示すコマンドがＬＡＮ１２１を介して送られる（ステップＳ６）。
【００７９】
尚、以下の説明ではＭＦＰ２００における電源ＯＮ（起動）を例に説明するが、電源制御の種別２００５において、電源ＯＦＦやスリープが選択されているような場合には、電源ＯＮと同様に、指定された電源制御の種別の情報と指定されたＭＦＰ２００の機能の情報とを含む電源制御の指示が端末からＭＦＰ２００に対して送られ、電源制御の指示を受信したＭＦＰ２００側では、該電源制御の指示に含まれる電源制御の種別（２００５）の情報と機能（２００１乃至２００４）の情報とに基づく電源制御が実行される。
【００８０】
図２１は、プリント機能の電源制御が指示された際のウインドウ画面を示す図である。図２１に示すように、プリント機能ボタン２００１は太字で表示されて選択されたことを示すとともに、ステイタス表示部２１０４に起動までに要する時間が表示され、その時間のカウントダウンが表示される。
【００８１】
このとき、ＣＰＵ２０７は、指示された電源制御の種別の情報と、機能の情報とを判別し（ステップＳ７〜ステップＳ９）、電源制御の種別と機能とを特定する（ステップＳ１５、ステップＳ１０）。次いで、特定された電源制御の種別と機能とに応じた電源制御を電源部２１０に指示する（ステップＳ１１）。この場合は、プリントに必要な各デバイスの電源を起動（通電）させる（ステップＳ７−ＹＥＳ、ステップＳ１５、ステップＳ１１）。
【００８２】
ここでは、プリント機能が指示されているので、プリント処理を実行する為に必要な、プリンタ２０３、デバイスコントローラ２０４、メモリ２０５、及びハードディスク２０６への通電が行われる。また、スキャナ２０２、操作部２０１、ファクシミリ部２０９等のプリント処理に不必要なデバイスへの通電は行われない。
【００８３】
次に、ＣＰＵ２０７がデバイスの電源状態が変化したか否かを判別する（ステップＳ１２）。この場合、プリントに必要な各デバイスがスタンバイ状態になったか否かを判別する。これは、例えば、電源部２１０に電力供給を指示してからの経過時間が所定時間（スタンバイ状態になるまでにかかる時間）を経過したか否かを判別することで行われる。
【００８４】
プリントに必要な各デバイスがスタンバイ状態になった場合には、ＭＦＰ２００は端末から指示されたプリント機能に必要なデバイスがスタンバイ状態になった旨の情報を生成する（ステップＳ１３）と共に、該生成した情報を端末に通知する（ステップＳ１４）。
【００８５】
そして、ＭＦＰ２００からの通信の情報を受信した端末装置では、情報を受信したことに応じて図２２に示すようにステイタス表示部２２０４にプリント可能と表示する。
【００８６】
尚、上のステップＳ１２〜１４では、電源状態がスタンバイに変化した場合に端末にその旨を通知するように説明したが、これに限定されるものではなく、さらに電源状態の変化の複数の種別をＣＰＵ２０７にて検知し（ステップＳ１２）、検知された電源状態の変化の種別に基づくマークアップ言語を生成し（ステップＳ１３）、端末に該生成された情報の通知を行う（ステップＳ１４）ようにしてもよい。また、プリント可能になった旨の表示は、端末装置の画面で表示するだけでなく、ＭＦＰ２００の操作部２０１でも表示するようにしてもよい。
【００８７】
これにより端末装置の画面及びＭＦＰ２００の操作部２０１にはユーザが選択した電源制御の種別と機能とに応じたＭＦＰ２００の各機能の電源状態の表示がなされ、ユーザは所望する機能が実行できる電源状態になったかいなかを知ることができる。なお、プリント機能以外の機能が指示された場合も同様の処理（ステップＳ１２〜ステップＳ１４）が実行されるものとする。
【００８８】
また、ユーザがコピーを所望するときは、機能ボタン１９０１のコピー機能ボタン２００４を選択する。図２３のコピー機能ボタン２００４への指示が端末に入力されると端末（図１のパソコン１１２）より、ＭＦＰ２００に対して入力された指示を示すコマンドがＬＡＮ１２１を介して送られる。
【００８９】
そして、端末装置からの電源制御指示の入力があるかを判別し（ステップＳ６）、該電源制御指示の入力があればＣＰＵ２０７は、指示された電源制御の種別と、機能とを判別し（ステップＳ７〜ステップＳ１０）、コピーに必要なデバイスに対して自動的に電源がスタンバイ状態になるように起動させる（ステップＳ８−ＹＥＳ、ステップＳ１５，ステップＳ１１）。この場合はコピー機能が指示されているので、コピー処理を実行する為に必要な、操作部２０１、スキャナ２０２、プリンタ２０３、デバイスコントローラ２０４、メモリ２０５、ハードディスク２０６に通電が行われる。また、ファックス２０９等のコピーに不必要なデバイスへの通電は行われない。
【００９０】
同時に、図２３に示すように、コピー機能ボタン２００４は太字で表示されて選択されたことを示すとともに、ステイタス表示部２３０４に起動までに要する時間が表示され、その時間のカウントダウンが表示される。
【００９１】
ＣＰＵ２０７は端末から指示されたコピー機能に必要なデバイスがスタンバイ状態になった場合には（ステップＳ１２でＹＥＳ）、端末から指示されたコピー機能に必要なデバイスがスタンバイ状態になった旨の情報を生成する（ステップＳ１３）と共に、該生成した情報を端末に通知する（ステップＳ１４）。コピー機能に必要なデバイスの電源を起動すると、図２４に示すようにステイタス表示部２４０４にコピー可能と表示される。また、コピー機能はスキャン機能とプリント機能を使うため、いずれもの機能も機能別に使用可能と表示される。
【００９２】
このように、本実施の形態によれば、ネットワーク経由、特に、Ｗｅｂ上で機能の起動制御を行い、その状況を表示することで、ユーザはイントラネット環境は勿論のこと遠隔地にいてもＭＦＰを制御できる。その結果、不要な時間、極力電源ＯＦＦやスリープ状態にしておくことができ、省エネに貢献できる。また、Ｗｅｂ上で時間表示することで、ＭＦＰの起動状況に合わせてコピーなどの作業が行えるので、ＭＦＰの前で起動するまで待つといったユーザにとっての時間の無駄を省くことができる。特に、ＭＦＰが広いオフィスに設置され、設置場所がユーザから離れている場合や、別のフロアにある場合などに有効である。さらに、機能ごとに表示および制御することで、ユーザは迷うことなく所望の機能に必要な電源のみを供給することができ、わざわざ所望とする機能に対応するデバイスをユーザ自ら判断し、そのデバイスの電源を起動／遮断／スリープ状態に移行させるような煩雑な作業を省略することができるようになった。
【００９３】
本実施の形態では、プリント機能、スキャン機能、ファックス機能、コピー機能を有するＭＦＰを例に説明したが、機能はこれに限るものではなく、例えば、端末からＭＦＰのハードディスクに印刷データを記憶させておくようなボックスジョブ機能等の様々な機能に対して適用することができる。
【００９４】
次に、本発明の第４の実施の形態を説明する。
【００９５】
第４の実施の形態においては、ＭＦＰ２００とＬＡＮ１２１を介して通信可能な端末（クライアント）から電源制御指示を行うように説明したが、図５乃至２４に示されるようなウインドウ画面をＭＦＰ２００本体の操作部２０１（表示操作部）に表示させるようにして、ＭＦＰ２００本体の操作部２０１から電源の指示を行えるようにしてもよい。ウインドウ画面の表示の遷移などは図５乃至２４にて説明したものと同様とする。
【００９６】
このように本実施の形態によれば、ユーザはＭＦＰの操作部２０１を介して所望の機能に対応するデバイスの電源制御を行うことができる。
【００９７】
尚、電源制御としては図７などに示されるように、電源ＯＦＦや電源ＯＮやスリープなど様々な電源制御が想定され、更に、スリープなどにおいては深いスリープ（消費電力が非常に少ないが、ＭＦＰのスタンバイ状態への復帰には時間を要する）や、浅いスリープ（消費電力が大きいがＭＦＰのスタンバイ状態への復帰には時間を要しない）モードなど、複数レベルのスリープモードを設け、ウインドウ画面に表示させるようにすれば、より詳細な電源制御環境をユーザに提供させることが可能となる。このように第４の実施の形態により、第１〜３の実施の形態における電源制御を、端末−ＭＦＰ２００で構成されるシステムに適用するばかりでなく、画像処理装置単体による電源制御にも適用することができる。また、端末とＭＦＰ２００との間の通信をサーバ（１０９や１１０）を介して行うようにして、第１〜４の実施の形態にて説明した端末装置及びＭＦＰ２００の処理を実現させるようにしてもよい。
【００９８】
本発明は、上述した実施の形態の構成に限られるものではなく、特許請求の範囲を逸脱しない限りどのようなものであっても適用可能である。
【００９９】
また、本発明は、１つの機器からなる装置に適用してもよいし、複数の機器（例えば、ホストコンピュータ、インターフェース機器、リーダ、プリンタなど）から構成されるシステムに適用してもよい。
【０１００】
また、本発明の目的は、上記実施の形態の機能を実現する図４、図２５に示すようなソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１０１】
この場合、記憶媒体から読み出されたプログラムコード自体が前述した実施の形態の機能を実現することになり、そのプログラムコードを記憶した記憶媒体は本発明を構成することになる。
【０１０２】
また、コンピュータが読み出したプログラムコードを実行することにより、前述した実施の形態の機能が実現されるだけでなく、そのプログラムコードの指示に基づき、コンピュータ上で稼働しているオペレーティングシステム(ＯＳ)などが実際の処理の一部または全部を行い、その処理によって前述した実施の形態の機能が実現される場合も含まれることは言うまでもない。
【０１０３】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施の形態の機能が実現される場合も含まれることは言うまでもない。本発明を上記記憶媒体に適用する場合、その記憶媒体には、先に説明した図４，図２５に示すフローチャートに対応するプログラムコードが格納されることになる。
【０１０４】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１０５】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１０６】
【図１】本発明の第１の実施の形態に係る情報処理装置を組み込んだ遠隔制御システムの構成を示す図である。
【図２】図１に示すマルチファンクションデジタル複写機（ＭＦＰ）２００の構成を示すブロック図である。
【図３】ＭＦＰ２００の構造を示す断面図である。
【図４】ＷｅｂサーバとしてのＭＦＰ２００における電源制御処理手順を示すフローチャートである。
【図５】電源制御用のウィンドウ画面を示す図である。
【図６】電源がＯＦＦ状態のＭＦＰのウインドウ画面を示す図である。
【図７】デバイスボタン４０３が選択された場合のウインドウ画面を示す図である。
【図８】電源ＯＮボタン６０３が選択された場合のウインドウ画面を示す図である。
【図９】各機器が完全に起動した場合のウインドウ画面を示す図である。
【図１０】スリープ状態のウインドウ画面を示す図である。
【図１１】デバイスボタン４０３が選択された場合のウインドウ画面を示す図である。
【図１２】スリープ解除ボタン６０５が選択された場合のウインドウ画面を示す図である。
【図１３】タイマ設定ボタン６０６が選択された場合のウインドウ画面を示す図である。
【図１４】分設定部１５０８で時間設定を行う場合のウインドウ画面を示す図である。
【図１５】メニューの中の所望時間が選択された場合のウインドウ画面を示す図である。
【図１６】実行ボタン１５０９が押された場合のウインドウ画面を示す図である。
【図１７】各機器が完全に起動した場合のウインドウ画面を示す図である。
【図１８】表示モードを変更する場合のウインドウ画面を示す図である。
【図１９】機能別表示ボタン１８０３が選択される際のウインドウ画面を示す図である。
【図２０】機能別の電源制御を行うことができるウインドウ画面を示す図である。
【図２１】プリント機能の電源制御が指示される際のウインドウ画面を示す図である。
【図２２】プリント機能に対応する電源が起動した場合のウインドウ画面を示す図である。
【図２３】コピー機能の電源制御が指示される際のウインドウ画面を示す図である。
【図２４】コピー機器に対応する電源が起動した場合のウインドウ画面を示す図である。
【図２５】本発明の第３の実施の形態に係る、ＷｅｂサーバとしてのＭＦＰ２００における制御処理手順を示すフローチャートである。
【符号の説明】
【０１０７】
２００  マルチファンクションデジタル複写機（ＭＦＰ）
２０１  操作部
２０２  スキャナ
２０３  プリンタ
２０４  デバイスコントローラ
２０５  メモリ
２０６  ハードディスク
２０７  ＣＰＵ
２０８  通信制御部
２０９  ファックス
２１０  電源部
【図１】
2004166257.tif 000003
【図２】
2004166257.tif 000004
【図３】
2004166257.tif 000005
【図４】
2004166257.tif 000006
【図５】
2004166257.tif 000007
【図６】
2004166257.tif 000008
【図７】
2004166257.tif 000009
【図８】
2004166257.tif 000010
【図９】
2004166257.tif 000011
【図１０】
2004166257.tif 000012
【図１１】
2004166257.tif 000013
【図１２】
2004166257.tif 000014
【図１３】
2004166257.tif 000015
【図１４】
2004166257.tif 000016
【図１５】
2004166257.tif 000017
【図１６】
2004166257.tif 000018
【図１７】
2004166257.tif 000019
【図１８】
2004166257.tif 000020
【図１９】
2004166257.tif 000021
【図２０】
2004166257.tif 000022
【図２１】
2004166257.tif 000023
【図２２】
2004166257.tif 000024
【図２３】
2004166257.tif 000025
【図２４】
2004166257.tif 000026
【図２５】
2004166257.tif 000027